(57)【特許請求の範囲】
【請求項１】
セルラ通信ネットワーク内の基地局群の一部を形成する基地局で使用され、前記基地局からの送信を識別する際に使用するための識別コードを選択する方法であって、
前記基地局群外の基地局の近隣セルリストに現れる識別コードを含む第１の識別コードリスト及び前記基地局群外の基地局の近隣セルリストの中に現れない識別コードを含む第２の識別コードリストを管理ノードから受信する工程と、
前記基地局群内の他のいずれの基地局でも使用されていない少なくとも１つの識別コードが前記第１の識別コードリストに存在するか否かを判定する工程と、
前記基地局群内の他のいずれの基地局でも使用されていない少なくとも１つの識別コードが前記第２の識別コードリストに存在するか否かを判定する工程と、
前記第１の識別コードリストに前記基地局群内の他のいずれの基地局でも使用されていない少なくとも１つの識別コードが存在し、且つ、前記第２の識別コードリストに前記基地局群内の他のいずれの基地局でも使用されていない少なくとも１つの識別コードが存在する場合には、前記第２の識別コードリストからの識別コードに優先して、前記第１の識別コードリストからの識別コードを選択する工程と、
を有することを特徴とする方法。
【請求項２】
前記識別コードはスクランブルコードである、ことを特徴とする請求項１に記載の方法。
【請求項３】
前記基地局はフェムトセルアクセスポイントであり、前記基地局群はローカルエリアネットワークによって接続されたフェムトセルアクセスポイントの群である、ことを特徴とする請求項１又は２に記載の方法。
【請求項４】
セルラ通信ネットワーク内の基地局群の一部を形成する基地局で使用され、前記基地局からの送信を識別する際に使用するための識別コードを選択する方法であって、
前記基地局群外の基地局の近隣セルリストの中に現れる識別コードを含む第１の識別コードリスト及び前記基地局群外の基地局の近隣セルリストに現れない識別コードを含む第２の識別コードリストを管理ノードから受信する工程と、
前記基地局と前記基地局群外の基地局との間でセル再選択を実行可能であることが必要であるか否かを判定する工程と、
前記基地局と前記基地局群外の基地局との間でセル再選択を実行可能であることが必要であると判定された場合、前記第１の識別コードリストから識別コードを選択する工程と、
前記基地局と前記基地局群外の基地局との間でセル再選択を実行可能であることが必要ではないと判定された場合、前記第１の識別コードリスト又は前記第２の識別コードリストから識別コードを選択する工程と、
を有することを特徴とする方法。
【請求項５】
前記基地局に関連するセル再選択の履歴に基づいて、前記基地局と前記基地局群外の基地局との間でセル再選択を実行可能であることが必要であるか否かを判定する工程、をさらに有することを特徴とする請求項４に記載の方法。
【請求項６】
前記基地局はフェムトセルアクセスポイントであり、前記基地局群はローカルエリアネットワークによって接続されたフェムトセルアクセスポイントの群である、ことを特徴とする請求項４又は５に記載の方法。
【請求項７】
少なくとも１つの基地局群を含み且つ前記基地局群の中にない他の基地局をさらに含むセルラ通信ネットワークの管理ノードで使用するための方法であって、
利用可能な識別コードを、前記基地局群外の基地局の近隣セルリストに現れる識別コードを含む第１の識別コードリスト及び前記基地局群外の基地局の近隣セルリストに現れない識別コードを含む第２の識別コードリストに分割する工程と、
前記基地局群内の基地局に前記第１の識別コードリスト及び前記第２の識別コードリストを通知する工程と、
を有することを特徴とする方法。
【請求項８】
前記識別コードはスクランブルコードである、ことを特徴とする請求項７に記載の方法。
【請求項９】
セルラ通信ネットワークで使用するための基地局であって、請求項１乃至６のいずれか１項に記載の方法を実行するように構成されている、ことを特徴とする基地局。
【発明の詳細な説明】
【技術分野】
【０００１】
本発明は、移動通信網に関し、特に、セルラ基地局が独自のスクランブルコードを選択できるようにする方法及びシステムに関する。
【背景技術】
【０００２】
特にセルラ通信ネットワークのユーザに対してサービスエリアを改善するという利点を実現するために、建物内部にフェムトセルアクセスポイントを設置することは既知である。登録ユーザデバイスがフェムトセルアクセスポイントのサービスエリア内にある場合、ユーザデバイスは、そのアクセスポイントとの接続を確立でき、アクセスポイントからセルラネットワークのコアネットワークへの接続は、例えば、既存のブロードバンドインターネット接続を介して確立される。ユーザがフェムトセルアクセスポイントのサービスエリア外に出た場合、セルラネットワークのマクロセル基地局へ接続がハンドオーバされてもよい。
【０００３】
そのようなフェムトセルアクセスポイントから成るネットワークを確立することも既知である。
【０００４】
セルラ通信ネットワークに関連して起こる問題の１つは、スクランブルコードの数が限られており、ネットワークの基地局間でそれらのスクランブルコードを共有しなければならないことである。従来のネットワークでは、同一のスクランブルコードを共有する基地局の離間距離を可能な限り大きくするために、基地局へのスクランブルコードの割り当ては、ネットワーク計画作業の一環として実行される。フェムトセルアクセスポイントの場合、そのようなネットワーク計画は行われないので、同様に同一のスクランブルコードを共有する基地局の離間距離を可能な限り大きくしようと試みる方法により、各フェムトセルアクセスポイント自体が独自のスクランブルコードを選択する。
【０００５】
例えば、１つの建物の中又は相対的に狭い領域の中にフェムトセルアクセスポイントのネットワークが存在する場合、スクランブルコードの選択の問題はいっそう複雑になる。
【発明の概要】
【発明が解決しようとする課題】
【０００６】
本発明の態様によれば、上記の問題は、未使用のスクランブルコードが存在する場合及び同一のスクランブルコードを使用している２つのフェムトセルアクセスポイントの間に輻輳が存在する場合にスクランブルコードを適切に選択することにより解決される。
【課題を解決するための手段】
【０００７】
本発明の第１の態様によれば、セルラ通信ネットワーク内の基地局群の一部を形成する基地局からの送信を識別する際に使用するための識別コードを選択する基地局において使用するための方法であって、
前記基地局群外の基地局の近隣セルリストに現れる識別コードを含む第１の識別コードリスト及び前記基地局群外の基地局の近隣セルリストに現れない識別コードを含む第２の識別コードリストを管理ノードから受信する工程と、
前記基地局群内の他のいずれの基地局でも使用されていない少なくとも１つの識別コードが前記第１の識別コードリスト又は前記第２の識別コードリストのいずれかに存在するか否かを判定する工程と、
前記第１の識別コードリストに前記基地局群内の他のいずれの基地局でも使用されていない少なくとも１つの識別コードが存在し且つ前記第２の識別コードリストに前記基地局群内の他のいずれの基地局でも使用されていない少なくとも１つの識別コードが存在する場合に、第２の識別コードリストからの識別コードより優先して第１の識別コードリストからの識別コードを選択する工程と、
を有することを特徴とする方法が提供される。
【０００８】
本発明の第２の態様によれば、セルラ通信ネットワーク内の基地局群の一部を形成する基地局からの送信を識別する際に使用するための識別コードを選択する基地局において使用するための方法であって、
前記基地局群外の基地局の近隣セルリストに現れる識別コードを含む第１の識別コードリスト及び前記基地局群外の基地局の近隣セルリストに現れない識別コードを含む第２の識別コードリストを管理ノードから受信する工程と、
基地局と前記基地局群外の基地局との間でセル再選択を実行可能であることが必要であるか否かを判定する工程と、
基地局と前記基地局群外の基地局との間でセル再選択を実行可能であることが必要であると判定された場合に、第１の識別コードリストから識別コードを選択する工程と、
基地局と前記基地局群外の基地局との間でセル再選択を実行可能であることが必要ではないと判定された場合、第１の識別コードリスト又は第２の識別コードリストから識別コードを選択する工程と、
を有することを特徴とする方法が提供される。
【０００９】
本発明の第３の態様によれば、少なくとも１つの基地局群を含み且つ基地局群内にはない他の基地局を更に含むセルラ通信ネットワークの管理ノードにおいて使用するための方法であって、
利用可能な識別コードを、前記基地局群外の基地局の近隣セルリストに現れる識別コードを含む第１の識別コードリスト及び前記基地局群外の基地局の近隣セルリストに現れない識別コードを含む第２の識別コードリストに分割する工程と、
前記基地局群内の基地局に第１の識別コードリスト及び第２の識別コードリストを通知する工程と、
を有することを特徴とする方法が提供される。
【００１０】
本発明の第４の態様によれば、セルラ通信ネットワーク内の基地局群の一部を形成する基地局に識別コードを割り当てる方法であって、基地局群内の各基地局において、
可能であれば同じ識別コードを近隣基地局として選択するのを回避することを試みるように識別コードを選択する工程を含み、
方法は、基地局群内の少なくとも１つの基地局において、
いずれかの近隣基地局が前記少なくとも１つの基地局と同じ識別コードを選択した場合に輻輳が発生したと判定する工程と、
輻輳が発生した場合に、前記基地局により又は前記基地局群内の別の基地局によりその輻輳を解決可能であるか否かを判定する工程と、
を更に有することを特徴とする方法が提供される。
【００１１】
本発明の他の態様によれば、上記の方法に従って動作する基地局及び管理ノードが提供される。
【００１２】
従って、本発明の一実施形態において、基地局群内のアクセスポイントが起動されるたびに、１つ以上の許可済みＰＳＣのリストに基づいて一次スクランブルコード／ＭＩＢバリュータグ（ＰＳＣ／ＭＶＴ）が自動的に選択される。ＺＭＳにより提供されるスクランブルコードのリスト、既に選択され且つＭＲＴを介して通信されたＰＳＣ及び独自の無線環境監視の結果に基づいて、フェムトセルアクセスポイントは、一意のＰＳＣ／ＭＶＴ組み合わせを選択しようと試みるだろう。一意のＰＳＣ／ＭＶＴ組み合わせを選択することが不可能である場合、既に別のアクセスポイントにより使用中であるＰＳＣ／ＭＶＴ組み合わせのうち１つを再利用できる。アクセスポイントがＰＳＣを再利用する場合、アクセスポイントは、そのサービスエリアが同一のＰＳＣ／ＭＶＴ組み合わせを使用している別のアクセスポイントのサービスエリアと重複する可能性を最小限に抑えようと試みるべきである。この選択を実行する場合、フェムトセルアクセスポイントは、基地局群内で使用中であるＰＳＣ、近隣に位置する他の基地局群内（同一のスペースの中で複数の基地局群が指定される場合もある）で使用中であるＰＳＣ及び他のフェムトセルアクセスポイント（いずれかの基地局群の一部を形成していない場合であっても）により使用中であるＰＳＣをすべて考慮に入れるのが好ましい。
【００１３】
本発明を更によく理解するために及び本発明をどのように実施できるかを示すために、例として添付の図面を参照する。
【図面の簡単な説明】
【００１４】
【図１】図１は、セルラ通信ネットワークのサービスエリア内にある建物を示す図である。
【図２】図２は、建物内の複数のフェムトセルアクセスポイントの配置を示す図である。
【図３】図３は、より広範囲の通信ネットワークにおけるフェムトセルアクセスポイントの存在を示す概略図である。
【図４】図４は、本発明に係る第１の処理を示すフローチャートである。
【図５】図５は、本発明が使用されてもよい状況を示す概略図である。
【図６】図６は、本発明に係る第２の処理を示すフローチャートである。
【図７】図７は、図６に示される処理の一部を更に詳細に示すフローチャートである。
【図８】図８は、図６に示される処理の別の部分を更に詳細に示すフローチャートである。
【図９】図９は、本発明の利用を示す概略図である。
【発明を実施するための形態】
【００１５】
図１は、セルラ通信ネットワークのマクロセル基地局１２のサービスエリア内に位置する建物１０を示す。従って、建物１０の付近にある移動電話１４、ラップトップコンピュータなどのユーザデバイスは、マクロセル基地局１２を介してセルラネットワークに接続することによりセルラサービスを受けることができる。
【００１６】
しかし、建物内のセルラサービスが不十分であるために、サービスを利用できなかったり、あるいはユーザデバイスが高い送信電力で信号を送信せざるを得ず、その結果、バッテリの寿命が短くなってしまったりする場合もあることは既知である。
【００１７】
従って、建物１０内にあるユーザデバイスが少なくともフェムトセルアクセスポイントのうち１つを介してセルラネットワークへの接続を確立することによりセルラサービスを受けられるようにするという目的で、フェムトセルアクセスポイントが配置されている。
【００１８】
オフィスビル、教育施設又はショッピングモールのようにユーザの移動が起こると予測される建物内におけるフェムトセルアクセスポイントの配置に関連して本発明を説明するが、他の状況にも本発明を適用可能であることは明らかだろう。例えば本発明は、特に、中にいるユーザが移動すると予測されるエリアが共有され且つ／又は管理されているような場所における戸外でのフェムトセルの配置にも同等に適用可能であるがそれに限定されない。
【００１９】
図２は、建物１０の内部の１つの階１６を概略的に示す図である。この例では、建物１０はオフィスビルであり、階１６全体を１つの企業が利用している。ある時点で階１６にいると予測されるユーザの数に基づいて、適切な数のフェムトセルアクセスポイント１８が配置される。図２に示される８つのフェムトセルアクセスポイントは、それぞれＡＰ１〜ＡＰ８と示される。
【００２０】
フェムトセルアクセスポイント１８は適切な位置に配置される。例えば、建物に出入りするユーザが可能な限り長い時間フェムトセルアクセスポイントの１つに接続された状態を保てるように、（各）出入口に近接してフェムトセルアクセスポイントを設けるのが適切だろう。アクセスポイントＡＰ５のような建物の出入口のフェムトセルアクセスポイントのうちの１つ以上は、周囲のマクロ層からフェムトセルネットワークへの入口として作用するので、「ゲートウェイ」セルと呼ばれてもよい。更に、スペース内のあらゆるユーザがフェムトセルアクセスポイントのうち１つへの接続を確立できるように、フェムトセルアクセスポイントはスペース全体に分散されるべきである。
【００２１】
図３は、フェムトセルアクセスポイントのネットワーク接続を示す概略図である。詳細には、１つの群を形成するフェムトセルアクセスポイント１８はすべて、ＬＡＮサーバ２０を有するローカルエリアネットワーク（ＬＡＮ）に接続される。ＬＡＮサーバ２０は、ワイドエリアネットワーク２２、特にインターネットなどのパブリックワイドエリアネットワークにも接続する。フェムトセルアクセスポイント１８は、ワイドエリアネットワーク２２を介してセルラ通信ネットワークのコアネットワーク２４に接続可能である。コアネットワーク２４は、フェムトセルアクセスポイント１８の動作を監視し且つ必要に応じて制御する管理ノード２６を含む。
【００２２】
本発明の一実施形態において、管理ノード２６は、フェムトセルアクセスポイント群に含まれるすべてのフェムトセルアクセスポイントのＩＤと、ＵＴＲＡ絶対ＲＦチャネル番号（ＵＡＲＦＣＮ）及びスクランブルコード（ＳＣ）、ロケーションエリアコード（ＬＡＣ）及びセルＩＤ、並びに初期電力レベルなどの主要なＲＦパラメータとを含むその群に関する関連情報を群内のすべてのフェムトセルアクセスポイント１８に配信する。
【００２３】
フェムトセルアクセスポイントは、近隣フェムトセルアクセスポイントのアイデンティティを捕捉するために他のフェムトセルアクセスポイントにより送信される信号を検出できるダウンリンクモニタモードに入ってもよい。従って、各フェムトセルアクセスポイントにより送信された検出済みＵＡＲＦＣＮ／ＳＣ及びＬＡＣ／セルＩＤを管理ノード２６から受信した情報と整合することにより、フェムトセルアクセスポイント１８は、近隣フェムトセルアクセスポイントテーブルを自動的に事前設定できる。この近隣アフェムトセルアクセスポイントテーブルは、その後の局所移動の際のハンドオーバに利用されてもよい。従って、フェムトセルアクセスポイント群の中での移動は完全に支援される。他のフェムトセルアクセスポイントとの間のセル再選択は、関連キャリア情報及びスクランブルコード情報をそれぞれ同報通信することにより実現される。各フェムトセルアクセスポイントは、近隣フェムトセルアクセスポイントのＩＤを含む完全なマップを有しており、従って特定のフェムトセルアクセスポイントを明確に指示するハンドオーバコマンドを送信できるので、１つのフェムトセルアクセスポイントから別のフェムトセルアクセスポイントへのハンドオーバを実現できる。回線交換（ＣＳ）通話移動、パケット交換（ＰＳ）通話移動及び多重無線アクセスベアラ（マルチＲＡＢ）通話移動、並びにフェムトセルアクセスポイント間の周波数内ハンドオーバ及び周波数間ハンドオーバに対して完全な支援が実行される。
【００２４】
更に、各フェムトセルアクセスポイントは、接続されているユーザ機器から定期測定値レポートを受信する。この測定値レポートは、周波数内近隣フェムトセルアクセスポイントの信号強度を示す。また、各フェムトセルアクセスポイントは、そのフェムトセルアクセスポイントに接続され且つ圧縮モードで動作しているユーザ機器へ、周波数間近隣フェムトセルアクセスポイントの定期測定値を提供することを要求する測定値制御メッセージを送信する。
【００２５】
更に、各フェムトセルアクセスポイントは、フェムトセルアクセスポイントが接続されているローカルエリアネットワークによって他のフェムトセルアクセスポイントと通信することが可能である。
【００２６】
図４は、一次スクランブルコードを選択する場合にフェムトセルアクセスポイントで実行される手順を一般的な用語で示すフローチャートである。この手順は、フェムトセルアクセスポイントが起動されるたびに実行されるのが好ましい。その後、異なる結果が発生しそうな場合、その都度、この手順が再実行されてもよい。例えば、フェムトセルアクセスポイントが新たな近隣フェムトセルアクセスポイントからの信号を検出した場合、選択されたスクランブルコードがまだ最適であるか否かを検査するために、この手順が再実行されてもよい。
【００２７】
ステップ４０において、フェムトセルアクセスポイントは、ダウンリンクモニタモード（ＤＬＭＭ）で受信していたデータに注目する。前述のように、このデータは、そのフェムトセルアクセスポイントが信号を検出可能な各セルのアイデンティティを含み且つそのようなセルにより使用されているスクランブルコードを更に含む。
【００２８】
更に、フェムトセルアクセスポイントは、現在のマスタ関連テーブル（ＭＲＴ）に含まれるデータに注目する。
【００２９】
マスタ関連テーブルは、各フェムトセルアクセスポイントに関する情報を含む。その情報の中には、フェムトセルアクセスポイント群に含まれる各フェムトセルアクセスポイントの一意のセルＩＤ；そのフェムトセルアクセスポイントのグループＩＤ；そのフェムトセルアクセスポイントにより選択された周波数及び一次スクランブルコード；他のフェムトセルアクセスポイントのセルＩＤ、一次スクランブルコード、ＵＡＲＦＣＮ、ＣＰＩＣＨ Ｔｘ電力調整及びＣＰＩＣＨ Ｔｘ電力、並びにそのフェムトセルアクセスポイントにより検出されたマクロ層ノードＢｓ；及び検出された中で最も強いセルの情報が含まれる。
【００３０】
初めて起動するたびに、フェムトセルアクセスポイントは、そのフェムトセルアクセスポイントがネットワークの一部になったことを示すためのメッセージを同報通信する。次に、別の任意のフェムトセルアクセスポイントは、そのフェムトセルアクセスポイントが自動構成を開始できるようにＭＲＴのコピーをそのフェムトセルアクセスポイントへ送信する。
【００３１】
ＭＲＴには、常に新たなフェムトセルアクセスポイントが特定のタイムスタンプ（作成タイムスタンプとして既知である）を伴って追加されている。以下に説明されるように、フェムトセルアクセスポイントの優先度がタイムスタンプの値により判定される場合もある。
【００３２】
フェムトセルアクセスポイントが構成を変えるたびに（新たな周波数及び／又はスクランブルコードを選択するたびに、もしくはモビリティテーブルを更新するたびに）、フェムトセルアクセスポイントは、ローカルエリアネットワークを介してそれらの変更を含むＭＲＴを同報通信する。更に、非アクティブ状態であるように見えるフェムトセルアクセスポイントがある場合、管理システムは、それらのフェムトセルアクセスポイントをＭＲＴから除外してもよい。
【００３３】
更新マスタ関連テーブルを受信するたびに、フェムトセルアクセスポイントは、そのフェムトセルアクセスポイントが他のいずれかのフェムトセルアクセスポイントに近隣アクセスポイントとして追加されたか否かを検査し、追加されていた場合、リストをやり取りするか否かを検査する。
【００３４】
更に、フェムトセルアクセスポイントは、以下に説明されるようなスクランブルコードを設定する手順に従って動作することにより、一次スクランブルコード（ＰＳＣ）衝突の有無を検査し且つそれを解決する。
【００３５】
ステップ４０で受信された情報に基づいて、フェムトセルアクセスポイントは、群内のその他のフェムトセルアクセスポイントを複数の層に分割する。近隣フェムトセルアクセスポイント（又はマクロ層近隣アクセスポイント）の層は、フェムトセルアクセスポイントがその近隣フェムトセルアクセスポイントを認識するに至るまでのステップの数を示す。従って、層１近隣フェムトセルアクセスポイントは、フェムトセルアクセスポイントがダウンリンクモニタモードで自ら検出した層であってもよい。あるいは、近隣フェムトセルアクセスポイントがそれ自体のダウンリンクモニタモードでフェムトセルアクセスポイントを検出していてもよく、且つフェムトセルアクセスポイントは、マスタ関連テーブルを介してこれを認識し、その関係をやり取りしていてもよい。層２近隣フェムトセルアクセスポイントは、フェムトセルアクセスポイントが層１近隣フェムトセルアクセスポイントを介して認識した近隣フェムトセルアクセスポイントである。層２近隣フェムトセルアクセスポイントの知識は、層１フェムトセルアクセスポイント又はマクロ層近隣アクセスポイントのＳＩＢ（システム情報ブロック）１１から得られてもよい。あるいは、層２近隣フェムトセルアクセスポイントの知識は、層１近隣フェムトセルアクセスポイントのマスタ関連テーブルをルックアップすることにより得られてもよい。層３近隣フェムトセルアクセスポイントは、フェムトセルアクセスポイントが層２近隣フェムトセルアクセスポイントのマスタ関連テーブルのエントリをルックアップすることにより認識した近隣フェムトセルアクセスポイントである。ネットワークの大きさに応じて、更に低い層の近隣フェムトセルアクセスポイントが存在してもよく、その場合、フェムトセルアクセスポイントは、すぐ上の層の近隣フェムトセルアクセスポイントのマスタ関連テーブルのエントリをルックアップすることによってそれらの近隣フェムトセルアクセスポイントを認識する。
【００３６】
図４に示される手順のステップ４２において、フェムトセルアクセスポイントは、一次スクランブルコード（ＰＳＣ）プール、すなわち独自のＰＳＣを選択できるＰＳＣのリストに関する情報を受信する。
【００３７】
本発明の一実施形態において、セルラネットワークで利用可能な一次スクランブルコードは、外部スクランブルコードリスト及び内部スクランブルコードリストに分割される。外部スクランブルコードリストの一次スクランブルコードは、好適なスクランブルコードである。それらのスクランブルコードは、マクロ層の近隣セルリストの中に現れ且つ通常はマクロ層を見ることができるフェムトセルアクセスポイントにより使用されるだろう。内部スクランブルコードリストの一次スクランブルコードは、好適ではないスクランブルコードである。それらのスクランブルコードは、マクロ層の近隣セルリストには現れず、従って通常はマクロ層を見ることができないフェムトセルアクセスポイントにより（すべてではないとしても）使用されるだろう。
【００３８】
従って、ステップ４２において、フェムトセルアクセスポイントは、選択プールが外部スクランブルコードリストの一次スクランブルコードのみを含むのか又は内部スクランブルコードリストのスクランブルコードも含むのかに関する情報を例えば管理ノード２６から受信する。この機構は、フェムトセルを「ゲートウェイ」セル、すなわちフェムトセルのサービスエリアの出入口ポイントにあるセルとして明示して規定するために使用される。
【００３９】
更に、フェムトセルは、この「ゲートウェイ」状態によってそのフェムトセルを構成すべきか否かを自動的に判定させる情報を管理ノード２６から更に受信してもよい。例えば、フェムトセルアクセスポイントは、そのフェムトセルアクセスポイントからマクロネットワークへ又はマクロネットワークからそのフェムトセルアクセスポイントへ再選択するユーザ機器の履歴に基づいて統計データを収集するように構成される。最近の履歴に基づいて、フェムトセルアクセスポイントは、「ゲートウェイ」セルとして動作すべきか否かを判定してもよい。この状態は変化することもある。例えば、フェムトセルアクセスポイントは、外部スクランブルコードリストからの一次スクランブルコードの選択に限定するように、フェムトセルアクセスポイント自体を「ゲートウェイ」セルとして構成してもよい。しかし、フェムトセルアクセスポイント群の中で、新たなフェムトセルアクセスポイントが全サービスエリアの出入口ポイントに更に近接する位置に配置された場合、その後の第１のフェムトセルアクセスポイントとマクロ層との間の再選択の回数ははるかに少なくなるので、第１のフェムトセルアクセスポイントは、最新の履歴に基づいてそれ以降は「ゲートウェイ」セルとして動作すべきではないと判定できる。そこで、第１のフェムトセルアクセスポイントは、外部スクランブルコードリスト又は内部スクランブルコードリストのいずれかから一次スクランブルコードを選択できる。
【００４０】
ステップ４４において、フェムトセルアクセスポイントは選択スコア（その利用に関しては後に説明する）を設定する。選択スコアは、［選択プール中のＰＳＣの数］−［選択プール中にあり且つ層１近隣フェムトセルアクセスポイントのうち１つの近隣フェムトセルアクセスポイントにより使用される一意のＰＳＣの数］に等しい。
【００４１】
ステップ４６において、フェムトセルアクセスポイントは、選択プール中にマスタ関連テーブルにリストアップされているフェムトセルアクセスポイントのうち１つのフェムトセルアクセスポイント又は検出可能であると思われる他のいずれかのフェムトセルアクセスポイントでまだ使用されていない一次スクランブルコードが存在するか否かを判定する。（例えば、フェムトセルアクセスポイントは、他の企業又は付近の居住施設にあるフェムトセルアクセスポイントを検出可能な場合もある。）
選択プール中に未使用のＰＳＣが存在する場合、手順はステップ４８へ進み、フェムトセルアクセスポイントはその未使用ＰＳＣを選択する。２つ以上の未使用ＰＳＣがある場合、フェムトセルアクセスポイントは無作為に１つのＰＳＣを選択してもよい。しかし、選択プールが外部スクランブルコードリストの一次スクランブルコード及び内部スクランブルコードリストのスクランブルコードの双方を含む場合、外部スクランブルコードリストの一次スクランブルコードは、内部スクランブルコードリストのスクランブルコードより優先されるのが好ましい。次に、ステップ５０において、フェムトセルアクセスポイントは、マスタ情報ブロック（ＭＩＢ）バリュータグ（ＭＶＴ）を選択する。例えば、フェムトセルアクセスポイントは、ＭＶＴバリュータグを無作為に選択してもよい。
【００４２】
まったく未使用であるスクランブルコードは存在しないとステップ４６で判定された場合、処理はステップ５２へ進む。ステップ５２において、層１近隣フェムトセルアクセスポイント又は層２近隣フェムトセルアクセスポイントのうち１つの近隣フェムトセルアクセスポイントによりまだ使用されていない一次スクランブルコードが選択プール中に存在するか否かが判定される。尚、ＰＳＣ選択アルゴリズムは同一のＵＡＲＦＣＮにある近隣フェムトセルアクセスポイントを考慮するだけであるが、多くの場合、これには１つの群に含まれるすべてのフェムトセルアクセスポイントが含まれる。従って、選択プール中に未使用のＰＳＣがない場合、アルゴリズムは、可能であれば層３（又は更に高い層）の近隣フェムトセルアクセスポイントによってのみ使用中であるＰＳＣを発見しようと試みる。
【００４３】
層１近隣フェムトセルアクセスポイント又は層２近隣フェムトセルアクセスポイントのうち１つの近隣フェムトセルアクセスポイントでまだ使用されていない１つ以上の一次スクランブルコードが選択プール中に存在するとステップ５２で判定された場合、処理はステップ５４へ進む。ステップ５４において、それらのＰＳＣの各々に関してフェムトセルアクセスポイントは、すべてのフェムトセルアクセスポイントの検出済み近隣フェムトセルアクセスポイントリストに各ＰＳＣ／ＭＶＴ組み合わせが表れた回数を表すカウントを形成する。ＭＲＴの中でＰＳＣ／ＭＶＴ組み合わせが検出済み近隣フェムトセルアクセスポイントとして頻繁に現れる場合、その組み合わせが単独のフェムトセルアクセスポイントにより使用されていることはないと予測され、従ってこのＰＳＣ／ＭＶＴ組み合わせを回避しようと試みるのが好ましいだろう。従って、ステップ５４において、フェムトセルアクセスポイントは、カウント値が最小であるＰＳＣ／ＭＶＴ組み合わせを選択する。このステップで、選択プールのすべてのＰＳＣが使用中であっても、フェムトセルアクセスポイントは、まだ使用されていないＰＳＣ／ＭＶＴ組み合わせを選択することが可能であってもよい。このように種々のＭＶＴ値を使用することにより、同一のＰＳＣを有する別のフェムトセルアクセスポイントのサービスエリアへＵＥが移動する場合、ＵＥは必ずロケーションエリア更新を実行することになる。
【００４４】
層１近隣フェムトセルアクセスポイント又は層２近隣フェムトセルアクセスポイントのうち１つの近隣フェムトセルアクセスポイントでまだ使用されていない一次スクランブルコードが選択プール中に存在しないとステップ５２で判定された場合、処理はステップ５６へ進む。ステップ５６において、層１近隣フェムトセルアクセスポイントのうち１つの近隣フェムトセルアクセスポイントでまだ使用されていない一次スクランブルコードが選択プール中に存在するか否か（すなわち、層２近隣フェムトセルアクセスポイントのうち１つの近隣フェムトセルアクセスポイントでのみ使用中である一次スクランブルコードが選択プール中に存在するか否か）が判定される。
【００４５】
層２近隣フェムトセルアクセスポイントでのみ使用中である１つ以上のＰＳＣが存在するとステップ５６で判定された場合、処理はステップ５８へ進む。ステップ５８において、フェムトセルアクセスポイントはＰＳＣ／ＭＶＴ組み合わせを選択する。詳細には、上記のステップ５４において、フェムトセルアクセスポイントはカウント値が最小であるＰＳＣ／ＭＶＴ組み合わせを選択する。
【００４６】
選択プール中のすべての一次スクランブルコードが層１近隣フェムトセルアクセスポイントで既に使用中であるとステップ５６で判定された場合、処理はステップ６０へ進む。ステップ６０において、一次スクランブルコードのうち１つが選択される。この例において、その一次スクランブルコードを使用する他のデバイスとの間で干渉が起こる危険を最小限に抑えようと試みるように選択は実行される。この例において、フェムトセルアクセスポイントは、外部スクランブルコードリストの一次スクランブルコードの中からのみスクランブルコードを選択する。
【００４７】
選択を実行するために、フェムトセルアクセスポイントは、それらの一次スクランブルコードの各々に対してカウント値とパス損失重みとの組み合わせを表す値を形成する。更に詳細には、その組み合わせは、カウント値の正規化バージョンと正規化パス損失値とを加算することにより形成される。
【００４８】
正規化カウント値（ｎｏｍ＿ｏｃｃ＿ｔ１）は、まず、いずれかのＰＳＣに対して層１の最大カウント値（ｍａｘ＿ｏｃｃ＿ｔ１）を判定することにより得られる。次に、ＰＳＣごとに、正規化カウント値は、
ｎｏｒｍ＿ｏｃｃ＿ｔ１＝ｏｃｃ＿ｔ１／ｍａｘ＿ｏｃｃ／ｔ１
により求められる。
【００４９】
ＰＳＣごとの正規化パス損失値は、手順を実行しているフェムトセルアクセスポイントと各検出済み近隣フェムトセルアクセスポイントとの間のパス損失（Ｐａｔｈ＿Ｌｏｓｓ）を発見することにより判定される。各セルはＣＰＩＣＨ Ｔｘ電力（同様にＭＲＴを介して通信される）を同報通信し且つフェムトセルアクセスポイントはこのＴｘ電力及びダウンリンクモニタモードで検出するＲＳＣＰからパス損失を判定可能であるので、パス損失を計算できる。すなわち、
Ｐａｔｈ＿Ｌｏｓｓ（デシベル単位）＝ＣＰＩＣＨＴｘ電力［検出済み近隣フェムトセルアクセスポイント］−ＲＳＣＰ［検出済み近隣フェムトセルアクセスポイント］
それらのパス損失値の計算の終了後、フェムトセルアクセスポイントは、そのフェムトセルと検出済み近隣フェムトセルアクセスポイントとの間の最小パス損失及び最大パス損失を発見する。
【００５０】
すなわち、
最小パス損失＝フェムトセルアクセスポイントといずれかの検出済み近隣フェムトセルアクセスポイントとの間の最小のパス損失
最大パス損失＝フェムトセルアクセスポイントといずれかの検出済み近隣フェムトセルアクセスポイントとの間の最大のパス損失
次に、管理モードにより提供されるパラメータＰａｔｈ＿Ｌｏｓｓ＿Ｗｅｉｇｈｔ＿Ｏｆｆｓｅｔを使用してオフセットが適用される。
【００５１】
最大パス損失＝最大パス損失−最大パス損失＊Ｐａｔｈ＿Ｌｏｓｓ＿Ｗｅｉｇｈｔ＿Ｏｆｆｓｅｔ
次に、すべての検出済み近隣フェムトセルアクセスポイントに対して、正規化パス損失値（Ｎｏｒｍ＿Ｐａｔｈ＿Ｌｏｓｓ＿Ｗｅｉｇｈｔ）を次のように計算できる。
【００５２】
Ｎｏｒｍ＿Ｐａｔｈ＿Ｌｏｓｓ＿Ｗｅｉｇｈｔ＝１−｛（Ｐａｔｈ＿Ｌｏｓｓ−Ｍｉｎ＿Ｐａｔｈ＿Ｌｏｓｓ）／（Ｍａｘ＿Ｐａｔｈ＿Ｌｏｓｓ−Ｍｉｎ＿Ｐａｔｈ＿Ｌｏｓｓ）｝
上述のように、次に、カウント値の正規化バージョン（ｎｏｒｍ＿ｏｃｃ＿ｔ１）と正規化パス損失値（Ｎｏｒｍ＿Ｐａｔｈ＿Ｌｏｓｓ＿Ｗｅｉｇｈｔ）とを加算することにより、フェムトセルアクセスポイントは、カウント値とパス損失重みとの組み合わせを計算する。それらの計算に基づいて、フェムトセルアクセスポイントは組み合わせ値が最小であるＰＳＣを選択する。
【００５３】
その後、処理はステップ６２へ進む。ステップ６２において選択されたＰＳＣに対して、未使用ＭＶＴが存在するか否かが判定される。未使用ＭＶＴが存在する場合、処理はステップ６４へ進み、未使用ＭＶＴが選択される。
【００５４】
未使用ＭＶＴが存在しないとステップ６２で判定された場合、処理はステップ６６へ進む。ステップ６６において、フェムトセルアクセスポイントは、選択されたＰＳＣと関連するＭＶＴごとのカウント値とパス損失重みとの組み合わせの個別の値を考慮し、ＭＶＴが選択される。
【００５５】
従って、図４は、始動時にアクセスポイント群中の各アクセスポイントで実行される手順を示す。
【００５６】
上記の方法は、可能であれば、他のフェムトセルアクセスポイントにより使用中である一次スクランブルコード、少なくとも層１近隣フェムトセルアクセスポイントのフェムトセルアクセスポイントにより使用中である一次スクランブルコードの選択を回避しようと試みることが明らかだろう。２つの近隣フェムトセルアクセスポイントにより同一の一次スクランブルコードが使用されている場合、それら２つのフェムトセルアクセスポイントの間のロケーションエリア更新が失敗するか、又は２つのフェムトセルアクセスポイントからの信号を組み合わせるＵＥ受信機が通話を遮断させる可能性がある。
【００５７】
処理は２つの可能なスクランブルコード範囲（外部及び内部）を支援する。ユーザは、外部ＰＳＣの数を最小限に抑えることにより、マクロ層のセルにより維持される近隣セルリストを最小にするために内部ＰＳＣに偏って選択を任意に実行できる。しかし、ユーザが管理システムを介して指定しなければ、処理は内部スクランブルコードより優先して外部スクランブルコードを選択しようとする。
【００５８】
ＰＳＣを選択しているフェムトセルアクセスポイントにより受信されたＭＲＴは、企業内のすべてのフェムトセルアクセスポイントに関する情報（それらのフェムトセルアクセスポイントは異なる群に割り当てられている場合もある）を含む。従って、アルゴリズムは、ＰＳＣを選択しているフェムトセルアクセスポイントにより直接検出できないＰＳＣ／ＭＶＴ組み合わせであっても、他の企業群に含まれるＰＳＣ／ＭＶＴ組み合わせを考慮に入れることができる。他のフェムトセルアクセスポイントは、ＰＳＣを選択しているフェムトセルアクセスポイントにより検出可能である場合に限り又は検出可能なセルの近隣セルリストの中に現れている場合に限り考慮に入れられる。
【００５９】
一般に、処理は、ＰＳＣ／ＭＶＴ組み合わせを再利用する前に未使用のスクランブルコード（ＰＳＣ）とＭＶＴの組み合わせを選択する。例えば、ＰＳＣを再利用する必要がある場合、処理は、そのＰＳＣに対して少なくとも頻繁に使用されている未使用のＰＳＣ／ＭＶＴ組み合わせを選択しようと試みる。
【００６０】
処理は、層２近隣フェムトセルアクセスポイントにより使用中であるＰＳＣ／ＭＶＴ組み合わせの選択を回避しようと試み且つ層３近隣フェムトセルアクセスポイントにより使用中のＰＳＣ／ＭＶＴを優先して選択しようとする。層２近隣フェムトセルアクセスポイントにより使用中のＰＳＣ／ＭＶＴ組み合わせを使用する必要がある場合、選択の際に使用するために正規化パス損失重みが形成される。これは、パス損失重み及び発生重みの双方の組み合わせである。
【００６１】
フェムトセルアクセスポイントがＭＲＴから除外された場合、そのフェムトセルアクセスポイントが使用していたＰＳＣ／ＮＶＴは再利用可能になるので、その意味で、処理は自己回復処理である。更に、ＭＲＴに対するこの変更は、少なくとも１つのフェムトセルアクセスポイントがＰＳＣを選択するために手順を再開するきっかけになる。
【００６２】
更なる一実施形態において、管理ノードは、１つ以上のフェムトセルアクセスポイントに、そのフェムトセルアクセスポイントがゲートウェイセルとして動作すべきか否かを判定可能にすべきか否かを判定させることができる。判定可能にすべき場合、フェムトセルアクセスポイントは、外部ＰＳＣ／ＭＶＴ組み合わせがまだ利用可能であっても（例えば、それらの組み合わせの所定の割合を下回っている場合）、内部スクランブルコード／ＭＶＴ組み合わせを選択できる。例えば、内部ＰＳＣを選択する決定は、次の条件のすべてに適合する場合に実行されてもよい。
【００６３】
フェムトセルアクセスポイントが管理ノードによりこの機能を起動することを許可されること。
【００６４】
フェムトセルアクセスポイントが近隣フェムトセルを検出していたこと。
【００６５】
他のフェムトセルがそのフェムトセルアクセスポイントを検出可能であること。
【００６６】
マクロ層からそのフェムトセルアクセスポイントへのアイドルモード再選択又はマクロ層セルへのハンドアウトが実行されていないこと
衝突が検出された場合、その衝突を解決する試みを実行可能にする機構が提供される。そうでない場合、管理システムで警報が発生されてもよい。
【００６７】
企業群内の種々のフェムトセルアクセスポイントは、予測不可能な順序で始動手順を経過する。従って、図４に示される手順が実行された結果、いくつかの他のアクセスポイントが起動した後に最適とは思われないスクランブルコードの選択に関する決定をフェムトセルアクセスポイントが実行するという状況も十分に考えられる。例えば、そのような決定実行の結果、２つの層１近隣フェムトセルアクセスポイントが同一のスクランブルコードを選択せざるを得ない場合も起こる。
【００６８】
図５は、図２に示される環境に関連して、利用可能な一次スクランブルコードが４つ（ＰＳＣ：１〜ＰＳＣ：４）存在する場合の上記のような状況を示す。例示されるこの状況において、ＡＰ５は、５つの層１近隣フェムトセルアクセスポイント、すなわち、ＡＰ１、ＡＰ２、ＡＰ４、ＡＰ６及びＡＰ７を有することがわかる。更に、ＡＰ５は、それらのアクセスポイントのうち最後に起動したアクセスポイントであり、ＡＰ５が起動した時点で、ＡＰ１はＰＳＣ：４を選択しており、ＡＰ２はＰＳＣ：１を選択しており、ＡＰ４はＰＳＣ：３を選択しており且つＡＰ６はＰＳＣ：２を選択している。そのため、ＡＰ５は、層１近隣フェムトセルアクセスポイントのうち１つの近隣フェムトセルアクセスポイントと輻輳する一次スクランブルコードを選択せざるを得ない。図５に示されるように、ＡＰ５はＰＳＣ：４を選択する。
【００６９】
アルゴリズムの輻輳解決部分は、アクセスポイント群全体への波及効果を発生することなく且つＰＳＣ選択における振動を引き起こすことなくこの種の問題を修正しようと試みる。
【００７０】
手順は、ＭＲＴの関係並びにＰＳＣ選択を監視し且つ輻輳を解決するために変更を実行可能であるか否かを決定する１組の規則から構成される。適切な変更は、輻輳を起こしているアクセスポイントが層１で空いている別のＰＳＣ-ＭＶＴを選択するか、又は輻輳を起こしているアクセスポイントのうち一方のアクセスポイントが輻輳を起こしていない層１近隣フェムトセルアクセスポイントのうち１つの近隣フェムトセルアクセスポイントとＰＳＣを交換するかのいずれかを含んでもよい。解決が不可能である場合、変更は実行されず、同一のＰＳＣを使用している２つのアクセスポイントをそのＭＶＴによって識別可能であることに依存して手順は実行される。
【００７１】
図６は、スクランブルコードの輻輳を検出し且つ可能であればその輻輳を解決する方法を示すフローチャートである。
【００７２】
ステップ８０において、フェムトセルアクセスポイントは、図４に示されるように初期一次スクランブルコードの選択を完了する。ステップ８２において、フェムトセルアクセスポイントがスクランブルコード輻輳を検出し且つ解決することを試みる時間間隔を規定する輻輳検出タイマが設定される。ステップ８４において、このタイマが時間切れになると、処理はステップ８６へ進む。ステップ８６において、フェムトセルアクセスポイントがスクランブルコード輻輳に関わっているか否かが検出される。
【００７３】
図７は、処理のステップ８６を更に詳細に示すフローチャートである。詳細には、ステップ８８において、フェムトセルアクセスポイントにより選択された一次スクランブルコードがそのフェムトセルアクセスポイントのいずれかの層１近隣フェムトセルアクセスポイントにより使用中であるか否かが判定される。使用中である場合、処理はステップ９０へ進み、層１輻輳が検出されたことが示される。
【００７４】
層１輻輳が起こっていない場合、処理はステップ９２へ進む。ステップ９２において、フェムトセルアクセスポイントにより選択された一次スクランブルコードがそのフェムトセルアクセスポイントの層２近隣フェムトセルアクセスポイントにより使用中であるか否かが判定される。使用中である場合、処理はステップ９４へ進み、層２輻輳が検出されたことが示される。層２輻輳が起こっていない場合、ステップ９６において、解決する必要がある輻輳が存在するか否かが判定され、図６の処理はステップ９８へ進む。ステップ９８において、例えば、ダウンリンクモニタモード又は更新マスタ関連テーブルで受信され且つ新たな検査を実行しなければならないことを示す新たな情報をフェムトセルアクセスポイントが待つ状態になる。
【００７５】
輻輳が存在するとステップ８６で判定された場合、処理はステップ１００へ進む。ステップ１００において、フェムトセルアクセスポイントが検出済み輻輳の相手方であるフェムトセルアクセスポイントより低い優先度を有するか否かが判定される。フェムトセルアクセスポイントの優先度は、第１にＰＳＣ選択スコア４４により判定され、スコアの低いアクセスポイントに優先権が与えられる。それらのフェムトセルアクセスポイントのＰＳＣ選択スコアが互いに等しい場合、フェムトセルアクセスポイントがＭＲＴに追加された時点を示す作成タイムスタンプの値が使用される。より早い作成タイムスタンプを有するフェムトセルアクセスポイントに優先権が与えられる。作成タイムスタンプも互いに等しい場合、フェムトセルのセル識別子が使用され、小さいほうの値を有するフェムトセルアクセスポイントに優先権が与えられる。フェムトセルアクセスポイントが検出済み輻輳の相手方であるフェムトセルアクセスポイントより高い優先度を有する場合、処理は先に説明したステップ９８へ進む。
【００７６】
フェムトセルアクセスポイントが検出済み輻輳の相手方であるフェムトセルアクセスポイントより高い優先度を有する場合、処理はステップ１０２へ進む。ステップ１０２において、輻輳が解決可能であるか否か及び解決可能である場合にどのようにして解決するかが判定される。
【００７７】
図８は、処理のステップ１０２を更に詳細に示すフローチャートである。まず、ステップ１０４において、図４に示される処理のステップ４４で先に計算されていたフェムトセルアクセスポイントの選択スコアが０より大きいか否かが判定される。スコアが０に等しい場合（すなわち、選択プール中のすべてのＰＳＣがフェムトセルアクセスポイントの層１近隣フェムトセルアクセスポイントにより使用されている場合）、処理はステップ１０６へ進む。
【００７８】
ステップ１０６において、検出済み輻輳の相手方であるフェムトセルアクセスポイントが０より大きい選択スコアを有するか否かが判定される。０より大きい選択スコアを有する場合、処理はステップ１０８へ進み、相手方のフェムトセルアクセスポイントで動作を実行することにより輻輳を最適に解決できることが示され、そこでステップ１０２の処理は終了する。
【００７９】
検出済み輻輳の相手方であるフェムトセルアクセスポイントが０より大きい選択スコアを有していない場合、処理はステップ１１０へ進む。ステップ１１０において、フェムトセルアクセスポイントは、ＰＳＣの輻輳が起きている近隣フェムトセルアクセスポイントを除く層１近隣フェムトセルアクセスポイントを考慮する。詳細には、フェムトセルアクセスポイントは、０より大きい選択スコアを有する（すなわち、層１近隣フェムトセルアクセスポイントのいずれかにより使用中ではないＰＳＣを選択プール中に有する）輻輳を起こしていない層１近隣フェムトセルアクセスポイントのうちいずれか１つを考慮する。次に、フェムトセルアクセスポイントは、それらの近隣フェムトセルアクセスポイントのＰＳＣのうちいずれかがそのフェムトセルアクセスポイント自体の選択プールにあるか否かを判定する。
【００８０】
選択プール中にない場合、フェムトセルアクセスポイントは輻輳が解決不可能であると判定し、処理はステップ１１２へ進む。
【００８１】
ステップ１１０における判定の答えが肯定である場合、処理はステップ１１４へ進む。ステップ１１４において、フェムトセルアクセスポイントは、ステップ１１０で識別された近隣フェムトセルアクセスポイントのうち１つの近隣フェムトセルアクセスポイントのＰＳＣ‐ＭＶＴ組み合わせを選択する。これは、他のＰＳＣ／ＭＶＴ組み合わせの選択自由度が最大である近隣フェムトセルアクセスポイントを発見し、次に、その近隣フェムトセルアクセスポイントにより現在使用中であるＰＳＣ／ＭＶＴ組み合わせを選択することを意図して実行される。更に詳細には、フェムトセルアクセスポイントは、自らの選択プールの中からＰＳＣを選択していた輻輳を起こしていない層１近隣フェムトセルアクセスポイントの選択スコアを検査する。これに基づいて、フェムトセルアクセスポイントは最高の選択スコアを発見し、その最高の選択スコアを有する近隣フェムトセルアクセスポイントにより使用中であるＰＳＣ-ＭＶＴ組み合わせをフェムトセルアクセスポイント自体が使用するために選択する。
【００８２】
次に、処理はステップ１１６へ進み、第１のフェムトセルアクセスポイントに関する限り、処理は終了する。そこで、ステップ１１４でＰＳＣ-ＭＶＴ組み合わせが選択された近隣フェムトセルアクセスポイントのＰＳＣを変更することにより、輻輳を解決できる。
【００８３】
図８の処理がステップ１１２で終了した場合、処理は、図６のステップ１２８へ進む。ステップ１２８において、輻輳が解決不可能であるか否かが判定され且つ警報が発生される。例えば、警報は、フェムトセルアクセスポイントの物理的場所が変更されれば問題を解決可能だろうということを示してもよい。あるいは、警報は、例えば更に多くの内部スクランブルコードを追加することにより、選択プールに更に多くのスクランブルコードを割り当てるべきであることを操作員に示してもよい。次に、処理は先に説明したステップ９８へ進む。
【００８４】
スコアが０より大きいとステップ１０４で判定された場合、処理はステップ１１８へ進む。ステップ１１８において、そのスコアが検出済み輻輳の相手方であるフェムトセルアクセスポイントのスコア以上であるか否かが判定される。相手方のスコア以上ではない場合、相手方のフェムトセルアクセスポイントにより輻輳が最適に解決されるか否かが判定され且つ処理はステップ１０８へ進む。スコアが輻輳を起こしているフェムトセルアクセスポイントのスコア以上であるとステップ１１８で判定された場合、処理はステップ１２０へ進む。ステップ１２０において、スコアが輻輳を起こしているフェムトセルアクセスポイントのスコアと等しいか否かが判定される。
【００８５】
スコアが等しいとステップ１２０で判定された場合、処理はステップ１２２へ進む。ステップ１２２において、どちらのフェムトセルアクセスポイントが高い優先度を有するかが判定される。フェムトセルアクセスポイントの起動の時点が輻輳の相手方のフェムトセルアクセスポイントより遅くなかった場合、相手方のフェムトセルアクセスポイントにより輻輳が解決されるべきであると判定され、処理はステップ１０８へ進む。
【００８６】
フェムトセルアクセスポイントが相手方のフェムトセルアクセスポイントより高いスコアを有するとステップ１２０で判定された場合又はフェムトセルアクセスポイントが輻輳の相手方のフェムトセルアクセスポイントより後の時点で起動したとステップ１２２で判定された場合、処理はステップ１２４へ進む。
【００８７】
ステップ１２４において、フェムトセルアクセスポイントは、その層１近隣フェムトセルアクセスポイントのうちいずれか１つの近隣フェムトセルアクセスポイントにより使用されていないＰＳＣを使用してＰＳＣ-ＭＶＴ組み合わせを選択する。これは、図４のスクランブルコードの選択手順を再実行することにより実現可能であり、その後、処理はステップ１２６で終了する。
【００８８】
図８の処理がステップ１１６又はステップ１２６で終了した場合、その後、図６のステップ１３０が実行される。ステップ１３０において、フェムトセルアクセスポイントは、選択したＰＳＣ-ＭＶＴ組み合わせを示すためにＭＲＴを更新する。この場合にも、処理は先に説明したステップ９８へ進む。
【００８９】
図８の処理がステップ１０８で終了した場合、輻輳解決は別のフェムトセルアクセスポイントにおける動作に依存するので、それ以上の動作は実行されず、処理は図６のステップ９８へ直接進む。
【００９０】
処理がステップ９８に至った場合、新たな情報がまったく受信されなければ、フェムトセルアクセスポイントは、ステップ１３２の新たな情報に基づいて選択スコアを再計算し、ステップ１３４において輻輳検出タイマを設定し且つ先に説明したステップ８４へ進む。
【００９１】
図９は、図５に先に示した状況を示す。この場合、輻輳は既に解決されている。更に詳細には、ＡＰ５は、始動時、その層１近隣フェムトセルアクセスポイントのうち１つの近隣フェムトセルアクセスポイントと輻輳する一次スクランブルコードを選択せざるを得ず、ＡＰ１も使用中であるＰＳＣ：４を選択している。
【００９２】
ＡＰ１が図６に示される手順を実行することにより、輻輳を解決できた。図５を検討することにより、ＡＰ１の層１近隣フェムトセルアクセスポイントのうちいずれか１つの近隣フェムトセルアクセスポイントにより使用中ではないＰＳＣを選択するだけではＡＰ１は輻輳を解決できなかったことがわかるだろう。これは、ＰＳＣ：１が既にＡＰ２により選択されており、ＰＳＣ：２はＡＰ６により選択されており、ＰＳＣ：３はＡＰ４により選択されており且つＰＳＣ：４はＡＰ５により選択されているからである。
【００９３】
しかし、ＡＰ１は、その層１近隣フェムトセルアクセスポイントのうち１つの近隣フェムトセルアクセスポイント（ＡＰ６）がＰＳＣ：１を使用する層１近隣フェムトセルアクセスポイントを持たないことを識別することができた。従って、ＡＰ１は、先にＡＰ６により選択されていたＰＳＣ（すなわち、ＰＳＣ：２）を選択可能であり、そこで、ＡＰ６は、輻輳を解決するためにＰＳＣ：１を選択するように動作を継続することができた。
【００９４】
以上、ネットワーク中の各フェムトセルアクセスポイントがネットワークの総合的な性能を向上するように一次スクランブルコードを選択可能にするための機構を説明した。
【００９５】
フェムトセルアクセスポイントにより使用されるスクランブルコードを選択する手順に関連して本発明を説明したが、セルラネットワークの種々の基地局が別の何らかの形の識別子によって基地局からの送信を識別する場合、基地局の識別コードを選択するために種々の基地局で同一の処理が使用されてもよい。
【図１】
0005567133.tif 000002
【図２】
0005567133.tif 000003
【図３】
0005567133.tif 000004
【図４】
0005567133.tif 000005
【図５】
0005567133.tif 000006
【図６】
0005567133.tif 000007
【図７】
0005567133.tif 000008
【図８】
0005567133.tif 000009
【図９】
0005567133.tif 000010